(57)【特許請求の範囲】
【請求項１】
被塗布物を支持する被塗布物支持部と、
前記被塗布物支持部に支持された被塗布物を回転させる回転機構と、
前記被塗布物の回転軸方向に沿って並んだ複数のノズルから、前記回転機構によって回転する前記被塗布物の周面へ塗布液を連続吐出して前記被塗布物の周面に塗布膜を形成する吐出ヘッドと、
前記被塗布物支持部に支持された被塗布物と前記吐出ヘッドとの間に開閉可能に設けられ、前記吐出ヘッドから前記被塗布物へ吐出された塗布液を遮断可能な櫛歯形状のシャッター板と、
前記吐出ヘッドから吐出された塗布液のドットが前記被塗布物へ段状に着弾すると共に段状に着弾したドットが塗布開始側と塗布終了側とで噛み合うように、前記シャッター板を開閉するシャッター開閉機構と、
を備えたことを特徴とする液体塗布装置。
【請求項２】
前記シャッター開閉機構は、前記シャッター板を開放することにより前記被塗布物への前記塗布液の塗布を開始し、前記シャッター板の歯型をなす凹凸の位相が反転するまで前記シャッター板を前記被塗布物の回転軸方向へスライド移動させ、前記シャッター板を閉鎖することにより前記被塗布物へ吐出された前記塗布液を遮断することを特徴とする請求項１に記載の液体塗布装置。
【請求項３】
前記シャッター板は２枚で構成され、その２枚のシャッター板の歯型が前記被塗布物の回転軸と平行な軸に対して鏡像対称となる形状であることを特徴とする請求項１に記載の液体塗布装置。
【請求項４】
前記シャッター板は２枚で構成され、その２枚のシャッター板の歯型が互いに対向して噛み合う形状に形成されていることを特徴とする請求項１に記載の液体塗布装置。
【請求項５】
前記シャッター開閉機構は、塗布開始前に一方のシャッター板を閉鎖し、前記一方のシャッター板を段階的に開放して塗布を開始し、塗布終了の際は他方のシャッターを段階的に閉鎖することにより前記被塗布物へ吐出された前記塗布液を遮断することを特徴とする請求項３又は請求項４に記載の液体塗布装置。
【請求項６】
前記シャッター板は、内部に開口を有する枠体で形成され、前記枠体の開口側に互いに対向して噛み合う形状した歯型が形成されていることを特徴とする請求項１に記載の液体塗布装置。
【請求項７】
前記シャッター開閉機構は、塗布開始前に一方の歯型が形成されたシャッター板の部位を閉鎖し、前記一方の歯型が形成されたシャッター板の部位を段階的に開放して塗布を開始し、塗布終了の際は他方の歯型が形成されたシャッター板の部位を段階的に閉鎖することにより前記被塗布物へ吐出された前記塗布液を遮断することを特徴とする請求項６に記載の液体塗布装置。
【請求項８】
前記シャッター板に形成され、遮断した前記塗布液を回収するための塗布液回収溝を備えたことを特徴とする請求項１〜７のいずれか１項に記載の液体塗布装置。
【発明の詳細な説明】
【技術分野】
【０００１】
本発明は、液体塗布装置に関する。
【背景技術】
【０００２】
液体塗布装置としては、特許文献１に開示される連続型インクジェットプリンタが公知である。特許文献１に開示される連続型インクジェットプリンタは、インクの噴射を開始する時には洗浄液吸引ポンプにより洗浄液保留室内の洗浄液を吸引するとともに、シャッターを開放位置に移動させる。インクの噴射を終了する時にはシャッターを閉鎖位置に移動させるとともに、洗浄液供給ポンプにより洗浄液を洗浄液保留室に充満させる。
【特許文献１】特開平７−３１４７０３号公報
【発明の開示】
【発明が解決しようとする課題】
【０００３】
本発明は、吐出ヘッドから被塗布物の周面に塗布液を吐出して塗布する際に、塗布開始側と塗布終了側のつなぎ目を目立たなくすることを目的とする。
【課題を解決するための手段】
【０００４】
本発明の請求項１に係る液体塗布装置は、被塗布物を支持する被塗布物支持部と、前記被塗布物支持部に支持された被塗布物を回転させる回転機構と、前記被塗布物の回転軸方向に沿って並んだ複数のノズルから、前記回転機構によって回転する前記被塗布物の周面へ塗布液を連続吐出して前記被塗布物の周面に塗布膜を形成する吐出ヘッドと、前記被塗布物支持部に支持された被塗布物と前記吐出ヘッドとの間に開閉可能に設けられ、前記吐出ヘッドから前記被塗布物へ吐出された塗布液を遮断可能な櫛歯形状のシャッター板と、前記吐出ヘッドから吐出された塗布液のドットが前記被塗布物へ段状に着弾すると共に段状に着弾したドットが塗布開始側と塗布終了側とで噛み合うように、前記シャッター板を開閉するシャッター開閉機構と、を備えたことを特徴とする。
【０００５】
本発明の請求項２に係る液体塗布装置は、請求項１の構成において、前記シャッター開閉機構は、前記シャッター板を開放することにより前記被塗布物への前記塗布液の塗布を開始し、前記シャッター板の歯型をなす凹凸の位相が反転するまで前記シャッター板を前記被塗布物の回転軸方向へスライド移動させ、前記シャッター板を閉鎖することにより前記被塗布物へ吐出された前記塗布液を遮断することを特徴とする。
【０００６】
本発明の請求項３に係る液体塗布装置は、請求項１の構成において、前記シャッター板は２枚で構成され、その２枚のシャッター板の歯型が前記被塗布物の回転軸と平行な軸に対して鏡像対称となる形状であることを特徴とする。
【０００７】
本発明の請求項４に係る液体塗布装置は、請求項１の構成において、前記シャッター板は２枚で構成され、その２枚のシャッター板の歯型が互いに対向して噛み合う形状に形成されていることを特徴とする。
【０００８】
本発明の請求項５に係る液体塗布装置は、請求項３又は請求項４の構成において、前記シャッター開閉機構は、塗布開始前に一方のシャッター板を閉鎖し、前記一方のシャッター板を段階的に開放して塗布を開始し、塗布終了の際は他方のシャッターを段階的に閉鎖することにより前記被塗布物へ吐出された前記塗布液を遮断することを特徴とする。
【０００９】
本発明の請求項６に係る液体塗布装置は、請求項１の構成において、前記シャッター板は、内部に開口を有する枠体で形成され、前記枠体の開口側に互いに対向して噛み合う形状した歯型が形成されていることを特徴とする。
【００１０】
本発明の請求項７に係る液体塗布装置は、請求項６の構成において、前記シャッター開閉機構は、塗布開始前に一方の歯型が形成されたシャッター板の部位を閉鎖し、前記一方の歯型が形成されたシャッター板の部位を段階的に開放して塗布を開始し、塗布終了の際は他方の歯型が形成されたシャッター板の部位を段階的に閉鎖することにより前記被塗布物へ吐出された前記塗布液を遮断することを特徴とする。
【００１１】
本発明の請求項８に係る液体塗布装置は、請求項１〜７のいずれか１項の構成において、前記シャッター板に形成され、遮断した前記塗布液を回収するための塗布液回収溝を備えたことを特徴とする。
【発明の効果】
【００１２】
本発明の請求項１の構成によれば、本構成を有していない場合に比して、吐出ヘッドから被塗布物の周面に塗布液を吐出して塗布する際に、塗布開始側と塗布終了側のつなぎ目を目立たなくできる。
【００１３】
本発明の請求項２の構成によれば、一枚のシャッター板であっても、塗布開始側と塗布終了側のつなぎ目を目立たなくでき、装置構成を簡素化できる。
【００１４】
本発明の請求項３の構成によれば、一枚のシャッター板で構成する場合に比して、被塗布物に着弾したドットによる塗布開始側と塗布終了側との噛み合いを複雑な形状とすることが容易にでき、塗布開始側と塗布終了側のつなぎ目を効果的に目立たなくできる。
【００１５】
本発明の請求項４の構成によれば、一枚のシャッター板で構成する場合に比して、被塗布物に着弾したドットによる塗布開始側と塗布終了側との噛み合いを複雑な形状とすることが容易にでき、塗布開始側と塗布終了側のつなぎ目を効果的に目立たなくできる。
【００１６】
本発明の請求項５の構成によれば、シャッター板をスライド移動することなく、塗布開始側と塗布終了側のつなぎ目を目立たなくでき、シャッター開閉機構の構成を簡素化できる。
【００１７】
本発明の請求項６の構成によれば、一枚のシャッター板で塗布開始側と塗布終了側のつなぎ目を目立たなくでき、装置構成を簡素化できる。
【００１８】
本発明の請求項７の構成によれば、シャッター板をスライド移動することなく、塗布開始側と塗布終了側のつなぎ目を目立たなくでき、シャッター開閉機構の構成を簡素化できる。
【００１９】
本発明の請求項８の構成によれば、シャッター板で遮断した塗布液の液だれを抑制できる。
【発明を実施するための最良の形態】
【００２０】
以下に、本発明に係る実施形態の一例を図面に基づき説明する。
【００２１】
（本実施形態に係る液体塗布装置の全体構成）
まず、本実施形態に係る液体塗布装置の全体構成を説明する。図１は、本実施形態に係る液体塗布装置の全体構成を示す概略図である。
【００２２】
本実施形態に係る液体塗布装置１０は、図１に示すように、被塗布物を支持する被塗布物支持部の一例として、一対の支持体２４を備えている。一対の支持体２４は、基板２６上に立て設けられており、円筒状の被塗布物１１の両端部を回転可能に支持している。なお、被塗布物１１は、円筒状に限られず、例えば、円柱状、角筒状であってもよい。
【００２３】
液体塗布装置１０は、被塗布物支持部に支持された被塗布物を回転させる回転機構の一例として、支持体２４に支持された被塗布物１１を回転駆動する被塗布物駆動装置１０２を備えている。被塗布物駆動装置１０２は、被塗布物１１の軸方向一端部に配置されたギア部に連結された無端状のベルト１０２Ｂと、ベルト１０２Ｂを介して被塗布物１１に回転力を付与する駆動モータ１０２Ａと、を備えている。
【００２４】
なお、被塗布物１１を回転させる回転機構としては、被塗布物駆動装置１０２に限られず、被塗布物１１を回転させる回転機構であれば、他の機械要素によって構成された回転機構であってもよい。
【００２５】
液体塗布装置１０は、被塗布物の回転軸方向に沿って並んだ複数のノズルから、回転機構によって回転する被塗布物の周面へ塗布液を連続吐出して被塗布物の周面に塗布膜を形成する吐出ヘッドの一例として、吐出ヘッド１２を備えている。
【００２６】
吐出ヘッド１２は、被塗布物１１の回転軸方向に沿って並んだ複数のノズル１２Ａ（図３参照）を備えている。このノズル１２Ａから被塗布物駆動装置１０２によって回転する被塗布物１１の周面へ機能性材料の塗布液を連続吐出して被塗布物１１の周面に塗布膜を形成する。
【００２７】
また、液体塗布装置１０は、塗布液を貯留する塗布液タンク１６を備えている。この塗布液タンク１６には、塗布液タンク１６に貯留された塗布液を吐出ヘッド１２に供給するための塗布液供給管１８の一端部が連結されている。塗布液供給管１８の他端部は、吐出ヘッド１２の一端部に連結されている。
【００２８】
吐出ヘッド１２の他端部には、吐出ヘッド１２から塗布液タンク１６へ塗布液を排出するための塗布液排出管２０の一端部が連結されている。塗布液排出管２０の他端部は、塗布液タンク１６に連結されている。
【００２９】
塗布液タンク１６には、塗布液供給管１８を通じて、塗布液タンク１６から吐出ヘッド１２へ塗布液を送るためのポンプ１９が設けられている。ポンプ１９は、連続加圧して吐出ヘッド１２から塗布液が連続吐出されるようになっている。
【００３０】
さらに、本実施形態に係る液体塗布装置１０は、図２に示すように、シャッター板３０及びシャッター開閉機構３２を備えている。
【００３１】
（シャッター板及びシャッター開閉機構の構成）
ここで、シャッター板及びシャッター開閉機構の構成を説明する。
【００３２】
本実施形態では、吐出ヘッド１２から塗布液が常時に吐出されるようになっており、被塗布物１１に塗布液が着弾するか否かは、吐出された塗布液をシャッター板３０で遮断するか否かによって制御される。
【００３３】
本実施形態に係るシャッター板３０は、図２に示すように、支持体２４に支持された被塗布物１１と吐出ヘッド１２との間に開閉可能に設けられている。本実施形態では、シャッター板３０は、吐出ヘッド１２のノズル面に沿って配置されている。なお、図２においては、支持体２４を省略して図示している。
【００３４】
シャッター板３０は、櫛歯形状に形成されており、図３に示すように、凸部３０Ａと凹部３０Ｂが交互に形成された形状をしている。凸部３０Ａは、ノズル１２Ａの一つとびに配置され、ノズル１２Ａから吐出される塗布液の吐出経路をノズル１２Ａの一つとびに閉鎖することが可能とされている。凹部３０Ｂは、ノズル１２Ａの一つとびに配置され、ノズル１２Ａから吐出される塗布液の吐出経路をノズル１２Ａの一つとびに開放することが可能とされている。
【００３５】
凸部３０Ａ及び凹部３０Ｂは、ノズル１２Ａの複数個とびに配置される構成であっても良い。すなわち、凸部３０Ａは、ｎドット分のノズル間隔で配置され、ｎドットのノズル１２Ａの吐出経路を閉鎖可能とされる構成であればよい。
【００３６】
シャッター板３０は、シャッター開閉機構３２により移動して開閉するようになっている。シャッター開閉機構３２は、シャッター板３０の両端部を移動可能に支持する第１支持部材３４を備えている。第１支持部材３４は、支持体２４に支持された被塗布物１１の回転軸方向両端部に配置されており、シャッター板３０は、第１支持部材３４に沿って回転軸方向と交差する方向（図２におけるＡ方向）へ移動するようになっている。
【００３７】
さらに、シャッター開閉機構３２は、第１支持部材３４をスライド可能に支持する第２支持部材３６を備えている。第２支持部材３６には、支持体２４に支持された被塗布物１１の回転軸方向に沿ってレール溝３６Ａが形成されている。第１支持部材３４は、このレール溝３６Ａに嵌め込まれており、このレール溝３６Ａに沿って支持体２４に支持された被塗布物１１の回転軸方向（図２におけるＢ方向）へスライド移動する構成となっている。
【００３８】
このシャッター開閉機構３２によって、シャッター板３０は、ノズル１２Ａの全部の吐出経路を開放する開放状態（図３（Ｃ）（Ｄ）参照）と、ノズル１２Ａの全部の吐出経路を閉鎖する閉鎖状態（図３（Ａ）（Ｆ）参照）と、ノズル１２Ａの吐出経路を一つとびに開放する半開放状態（図３（Ｂ）（Ｅ）参照）とに変化するように構成されている。
【００３９】
また、シャッター開閉機構３２は、シャッター板３０の歯型をなす凹凸の位相が反転するまでスライド移動可能とされている。
【００４０】
シャッター板３０の歯型をなす凹凸の位相が反転するとは、凸部３０Ａと凹部３０Ｂ
の位置を変えることを意味し、シャッター板３０が半開放状態においてスライド移動することにより、吐出経路が開放されるノズル１２Ａを変更できるようになっている。なお、図３（Ｂ）には、スライド前の半開放状態が示され、図３（Ｅ）には、スライド後の半開放状態が示されている。
【００４１】
（本実施形態の作用）
次に、上記の実施形態について作用を説明する。
【００４２】
本実施形態では、吐出ヘッド１２から塗布液が、支持体２４に支持された被塗布物１１に向けて常時に連続吐出されている。
【００４３】
まず、図３（Ａ）に示すように、シャッター板３０はシャッター開閉機構３２により閉鎖状態となり、吐出ヘッド１２のノズル１２Ａの全部の吐出経路を閉鎖する。これにより、ノズル１２Ａから吐出する塗布液は遮断され、塗布液は、被塗布物１１に着弾していない状態となる。
【００４４】
次に、図３（Ｂ）に示すように、シャッター板３０はシャッター開閉機構３２により半開放状態となり、ノズル１２Ａの吐出経路が一つとびに開放される。これにより、図４に示すように、ノズル１２Ａから吐出される塗布液のドットが一つとびに被塗布物１１に着弾する。図４のａに示す部分が、被塗布物１１に一つとびに着弾したドットを示す。
【００４５】
なお、図４に示す円形は、各ノズル１２Ａから吐出されて被塗布物１１に着弾した各ドットを示し、被塗布物１１の回転軸方向における一部を抜き出したものである。図４のａ及びｂに示す部分が、塗布開始側を示し、図４のｃ及びｄに示す部分は、塗布を開始してから被塗布物１１に塗布液を一周塗布した後の塗布終了側を示す。被塗布物は紙面下向き方向に回転し、よって相対的に着弾ドットは紙面上向き方向に順次形成され、一周した後再び紙面下側から紙面上向き方向に順次形成される。
【００４６】
次に、図３（Ｃ）に示すように、シャッター板３０はシャッター開閉機構３２により開放状態となり、吐出ヘッド１２のノズル１２Ａの全部の吐出経路を開放する。これにより、すべてのノズル１２Ａから吐出される塗布液が、被塗布物１１に着弾し、被塗布物１１に着弾したドットの塗布開始側においては、段状にドットが配置される。図４のｂ及びｃに示す部分が、すべてのノズル１２Ａから吐出されて被塗布物１１に着弾したドットを示す。
【００４７】
次に、図３（Ｄ）に示すように、シャッター板３０はシャッター開閉機構３２により開放状態のまま、被塗布物１１の回転軸方向に沿ってスライド移動する。
【００４８】
次に、図３（Ｅ）に示すように、シャッター板３０はシャッター開閉機構３２により半開放状態となり、ノズル１２Ａの吐出経路が一つとびに開放される。図４のｄに示す部分が、被塗布物１１に一つとびに着弾したドットを示す。このドットは、塗布開始の際に一つとびに着弾したドットとは、１ドット分ずれた位置に形成される。これにより、被塗布物１１に着弾したドットの塗布終了側においては、段状にドットが配置され、塗布開始側のドットと塗布終了側のドットが噛み合うようになる。
【００４９】
段状に配置された塗布開始側のドット（図４のａ及びｂ部分）と、段状に配置された塗布終了側のドット（図４のｄ及びｃ部分）が噛み合わされて、被塗布物１１の周面に塗布膜を形成される。
【００５０】
次に、図３（Ｆ）に示すように、シャッター板３０はシャッター開閉機構３２により閉鎖状態となり、吐出ヘッド１２のノズル１２Ａの全部の吐出経路を閉鎖する。これにより、塗布液は、被塗布物１１に塗布されていない状態となり、被塗布物１１への塗布が終了する。
【００５１】
（シャッター板及びシャッター開閉機構の構成の第１変形例）
次に、シャッター板及びシャッター開閉機構の構成の第１変形例を説明する。
【００５２】
上記の実施形態は、支持体２４に支持された被塗布物１１の回転軸方向へシャッター板３０をスライド移動させる構成であったが、第１変形例では、シャッター板をスライド移動させない構成である。第１変形例では、図５−１、図５−２及び図５−３に示すように、櫛歯形状をした２枚のシャッター板４０、４２を用いる。
【００５３】
第１変形例に係る構成では、図５−１に示すように、シャッター板４０の歯型をなす凸部４０Ａと、シャッター板４２の歯型をなす凹部４２Ｂとが、被塗布物１１の回転軸と平行な軸に対して鏡像対称（面対称）となっている。シャッター板４０の歯型をなす凹部４０Ｂと、シャッター板４２の歯型をなす凸部４２Ａとが、被塗布物１１の回転軸と平行な軸に対して鏡像対称（面対称）となっている。
【００５４】
すなわち、ノズル１３の吐出経路を閉鎖する機能を有する凸部４０Ａと、ノズルの吐出経路を開放する機能を有する凹部４２Ｂとが、同じ面積で形成されている。また、ノズルの吐出経路を開放する機能を有する凹部４０Ｂと、ノズル１３の吐出経路を閉鎖する機能を有する凸部４２Ａとが、同じ面積で形成されている。
【００５５】
なお、図５−１（Ａ）では、凸部４０Ａ、凹部４０Ｂ、凸部４２Ａ及び凹部４２Ｂの範囲をわかりやすくするため２点鎖線を付している。２点鎖線で区切られた範囲が、凸部４０Ａ、凹部４０Ｂ、凸部４２Ａ及び凹部４２Ｂ、それぞれの範囲である。
【００５６】
シャッター板４０及びシャッター板４２は、上記の実施形態と同様に、シャッター開閉機構３２により移動して開閉される。なお、第１変形例では、シャッター板４０及びシャッター板４２は、スライド移動する必要がないので、シャッター開閉機構３２は、第２支持部材３６を有せず、シャッター板４０及びシャッター板４２の両端部を移動可能に支持する第１支持部材３４を備える構成となっている。なお、図５−１、図５−２及び図５−３においては、シャッター開閉機構３２の図示を省略している。
【００５７】
第１変形例の構成では、まず、図５−１（Ａ）に示すように、シャッター板４０により、ノズル１３Ａ、１３Ｂ、１３Ｃ、１３Ｄ、１３Ｅ、１３Ｆ、１３Ｇ、１３Ｈ、１３Ｉ、１３Ｊ、１３Ｋ、１３Ｌ、１３Ｍ（本明細書では、これらのノズルをまとめて、適宜、ノズル１３と記載する）の全部の吐出経路を閉鎖する。これにより、ノズル１３から吐出する塗布液は遮断され、塗布液は、被塗布物１１に着弾していない状態となる。
【００５８】
次に、図５−１（Ｂ）、図５−１（Ｃ）、図５−２（Ｄ）及び図５−２（Ｅ）に示すように、被塗布物１１を回転させると共にシャッター板４０をシャッター開閉機構３２により段階的に移動させ、ノズル１３の吐出経路を段階的に開放して、塗布液の被塗布物１１への塗布が開始される。
【００５９】
第１段階では、図５−１（Ｂ）に示すように、シャッター板４０をシャッター開閉機構３２により移動させ、ノズル１３Ａ、１３Ｅ、１３Ｉ、１３Ｍの吐出経路を開放する。これにより、ノズル１３Ａ、１３Ｅ、１３Ｉ、１３Ｍから吐出された塗布液のドットが被塗布物１１に着弾する。
【００６０】
次の段階では、図５−１（Ｃ）に示すように、シャッター板４０をシャッター開閉機構３２により移動させ、ノズル１３Ａ、１３Ｃ、１３Ｅ、１３Ｇ、１３Ｉ、１３Ｋ、１３Ｍの吐出経路を開放する。これにより、ノズル１３Ａ、１３Ｃ、１３Ｅ、１３Ｇ、１３Ｉ、１３Ｋ、１３Ｍから吐出された塗布液のドットが被塗布物１１に着弾する。
【００６１】
次の段階では、図５−２（Ｄ）に示すように、シャッター板４０をシャッター開閉機構３２により移動させ、ノズル１３Ａ、１３Ｃ、１３Ｄ、１３Ｅ、１３Ｇ、１３Ｈ、１３Ｉ、１３Ｋ、１３Ｌ、１３Ｍの吐出経路を開放する。これにより、ノズル１３Ａ、１３Ｃ、１３Ｄ、１３Ｅ、１３Ｇ、１３Ｈ、１３Ｉ、１３Ｋ、１３Ｌ、１３Ｍから吐出された塗布液のドットが被塗布物１１に着弾する。
【００６２】
次の段階では、図５−２（Ｅ）に示すように、シャッター板４０をシャッター開閉機構３２により移動させ、ノズル１３の全部の吐出経路を開放する。これにより、ノズル１３の全部から吐出された塗布液のドットが被塗布物１１に着弾する。
【００６３】
このように、ノズル１３の吐出経路を段階的に開放して塗布液の被塗布物１１への塗布が開始することにより、被塗布物１１に着弾したドットの塗布開始側においては、図６（Ａ）に示すように、段状にドットが配置される。なお、図６（Ａ）に示すドットは、左側から右側にかけて１３列をなしており、右側の列から順に、ノズル１３Ａ、１３Ｂ、１３Ｃ、１３Ｄ、１３Ｅ、１３Ｆ、１３Ｇ、１３Ｈ、１３Ｉ、１３Ｊ、１３Ｋ、１３Ｌ、１３Ｍから吐出された塗布液のドットによりそれぞれ形成された列である。
【００６４】
吐出経路が開放される段階が遅いノズル（例えば、ノズル１３Ｂ）で形成されるドット列（例えば、図６（Ａ）において右から２列目）に比べ、吐出経路が開放される段階が早いノズル（例えば、ノズル１３Ａ）で形成されたドット列（例えば、図６（Ａ）において右から１列目）が長くされ、所定の形状をしたドットの配置がなされる。
【００６５】
次に、ノズル１３の全部から吐出された塗布液のドットが被塗布物１１に着弾する状態で、被塗布物１１を回転させる。
【００６６】
被塗布物１１の回転が一周する際において、塗布液の被塗布物１１への塗布を終了する際には、図５−２（Ｆ）、図５−３（Ｇ）、図５−３（Ｈ）及び図５−３（Ｉ）に示すように、シャッター板４２をシャッター開閉機構３２により段階的に移動させ、ノズル１３の吐出経路を段階的に閉鎖する。
【００６７】
第１段階では、図５−２（Ｆ）に示すように、シャッター板４２をシャッター開閉機構３２により移動させ、ノズル１３Ａ、１３Ｅ、１３Ｉ、１３Ｍの吐出経路を閉鎖する。これにより、ノズル１３Ｂ、１３Ｃ、１３Ｄ、１３Ｆ、１３Ｇ、１３Ｈ、１３Ｊ、１３Ｋ、１３Ｌから吐出された塗布液のドットが被塗布物１１に着弾する。
【００６８】
次の段階では、図５−３（Ｇ）に示すように、シャッター板４２をシャッター開閉機構３２により移動させ、ノズル１３Ａ、１３Ｃ、１３Ｅ、１３Ｇ、１３Ｉ、１３Ｋ、１３Ｍの吐出経路を閉鎖する。これにより、ノズル１３Ｂ、１３Ｄ、１３Ｆ、１３Ｈ、１３Ｊ、１３Ｌから吐出された塗布液のドットが被塗布物１１に着弾する。
【００６９】
次の段階では、図５−３（Ｈ）に示すように、シャッター板４２をシャッター開閉機構３２により移動させ、ノズル１３Ａ、１３Ｃ、１３Ｄ、１３Ｅ、１３Ｇ、１３Ｈ、１３Ｉ、１３Ｋ、１３Ｌ、１３Ｍの吐出経路を閉鎖する。これにより、ノズル１３Ｂ、１３Ｆ、１３Ｊから吐出された塗布液のドットが被塗布物１１に着弾する。
【００７０】
次の段階では、図５−３（Ｉ）に示すように、シャッター板４２をシャッター開閉機構３２により移動させ、ノズル１３の全部の吐出経路を閉鎖する。これにより、ノズル１３から吐出する塗布液は遮断され、塗布液は、被塗布物１１に着弾していない状態となる。
【００７１】
このように、塗布液の被塗布物１１への塗布を終了する際には、ノズル１３の吐出経路を段階的に閉鎖することにより、被塗布物１１に着弾したドットの塗布終了側においては、図６（Ｂ）に示すように、段状にドットが配置される。なお、図６（Ｂ）に示すドットは、左側から右側にかけて１３列をなしており、右側の列から順に、ノズル１３Ａ、１３Ｂ、１３Ｃ、１３Ｄ、１３Ｅ、１３Ｆ、１３Ｇ、１３Ｈ、１３Ｉ、１３Ｊ、１３Ｋ、１３Ｌ、１３Ｍから吐出された塗布液のドットによりそれぞれ形成された列である。
【００７２】
吐出経路が閉鎖される段階が遅いノズル（例えば、ノズル１３Ｂ）で形成されるドット列（例えば、図６（Ｂ）において右から２列目）に比べ、吐出経路が閉鎖される段階が早いノズル（例えば、ノズル１３Ａ）で形成されたドット列（例えば、図６（Ｂ）において右から１列目）が短くされ、図６（Ａ）に示す所定の形状をしたドット配置と、噛み合う形状をしたドット配置がなされる。
【００７３】
そして、段状に配置された塗布開始側のドット（図６（Ａ）参照）と、段状に配置された塗布終了側のドット（図６（Ｂ）参照）が噛み合わされて、被塗布物１１の周面に塗布膜を形成される。
【００７４】
なお、噛み合う形状とは、塗布開始側で段状に形成されたドット配置の凹凸と、塗布終了側で段状に形成されたドット配置の凹凸が噛み合うことであり、塗布開始側で段状に形成されたドット配置において凹状になった列（例えば、右から２列目）に対して、それに対応する列（例えば、右から２列目）は、塗布終了側で段状に形成されたドット配置において、凸状にされている場合をいう。
【００７５】
また、図５−１、図５−２及び図５−３は、ノズル１３の吐出経路の開放動作及び閉鎖動作を説明するための模式図であり、ノズル１３の個数や、シャッター板４０及びシャッター板４２の構成は、これに限られない。特に、シャッター板４０及びシャッター板４２の形状は、それぞれの凹部が凸部に対して鏡像対称であれば、任意の形状とすることができ、第１変形例に示した形状によりも複雑な形状とすることも可能である。
【００７６】
（シャッター板及びシャッター開閉機構の構成の第２変形例）
次に、シャッター板及びシャッター開閉機構の構成の第２変形例を説明する。
【００７７】
上記の実施形態は、支持体２４に支持された被塗布物１１の回転軸方向へシャッター板３０をスライド移動させる構成であったが、第２変形例では、第１変形例と同様に、シャッター板をスライド移動させない構成である。第２変形例では、図７−１、図７−２及び図７−３に示すように、櫛歯形状をした２枚のシャッター板５０、５２を用いる。
【００７８】
第２変形例に係る構成では、図７−２（Ｅ）に示すように、シャッター板５０とシャッター板５２は、その歯型が互いに対向して噛み合う形状に形成されている。すなわち、シャッター板５０の凸部５０Ａに対向してシャッター板５２に凹部５２Ｂが形成されると共に、シャッター板５０の凹部５０Ｂに対向してシャッター板５２に凸部５２Ａが形成されており、シャッター板５０の凸部５０Ａ及びシャッター板５２の凸部５２Ａが、シャッター板５２の凹部５２Ｂ及びシャッター板５０の凹部５０Ｂにそれぞれ入り込むことが可能とされている。
【００７９】
本実施形態では、シャッター板５０の凸部５０Ａとシャッター板５２の凹部５２Ｂとは、同一形状とされており、シャッター板５０の凹部５０Ｂとシャッター板５２の凸部５２Ａとも、同一形状とされており、シャッター板５０とシャッター板５２は、その歯型が互いに隙間なく噛み合うようになっている。
【００８０】
すなわち、ノズル１３の吐出経路を閉鎖する機能を有する凸部５０Ａと、ノズルの吐出経路を開放する機能を有する凹部５２Ｂとが、同じ面積で形成されている。また、ノズルの吐出経路を開放する機能を有する凹部５０Ｂと、ノズル１３の吐出経路を閉鎖する機能を有する凸部５２Ａとが、同じ面積で形成されている。
【００８１】
なお、図７−２（Ｅ）では、凸部５０Ａ、凹部５０Ｂ、凸部５２Ａ及び凹部５２Ｂの範囲をわかりやすくするため２点鎖線を付している。２点鎖線で区切られた範囲が、凸部５０Ａ、凹部５０Ｂ、凸部５２Ａ及び凹部５２Ｂ、それぞれの範囲である。
【００８２】
シャッター板５０及びシャッター板５２は、上記の第１変形例と同様に、シャッター開閉機構３２により移動して開閉される。なお、図７−１、図７−２及び図７−３においては、シャッター開閉機構３２の図示を省略している。
【００８３】
第２変形例の構成では、まず、図７−１（Ａ）に示すように、シャッター板５０により、ノズル１３の全部の吐出経路を閉鎖する。これにより、ノズル１３から吐出する塗布液は遮断され、塗布液は、被塗布物１１に着弾していない状態となる。
【００８４】
次に、図７−１（Ｂ）、図７−１（Ｃ）、図７−２（Ｄ）及び図７−２（Ｅ）に示すように、被塗布物１１を回転させると共にシャッター板５０をシャッター開閉機構３２により段階的に移動させ、ノズル１３の吐出経路を段階的に開放して、塗布液の被塗布物１１への塗布が開始される。
【００８５】
第１段階では、図７−１（Ｂ）に示すように、シャッター板５０をシャッター開閉機構３２により移動させ、ノズル１３Ａ、１３Ｅ、１３Ｉ、１３Ｍの吐出経路を開放する。これにより、ノズル１３Ａ、１３Ｅ、１３Ｉ、１３Ｍから吐出された塗布液のドットが被塗布物１１に着弾する。
【００８６】
次の段階では、図７−１（Ｃ）に示すように、シャッター板５０をシャッター開閉機構３２により移動させ、ノズル１３Ａ、１３Ｃ、１３Ｅ、１３Ｇ、１３Ｉ、１３Ｋ、１３Ｍの吐出経路を開放する。これにより、ノズル１３Ａ、１３Ｃ、１３Ｅ、１３Ｇ、１３Ｉ、１３Ｋ、１３Ｍから吐出された塗布液のドットが被塗布物１１に着弾する。
【００８７】
次の段階では、図７−２（Ｄ）に示すように、シャッター板５０をシャッター開閉機構３２により移動させ、ノズル１３Ａ、１３Ｃ、１３Ｄ、１３Ｅ、１３Ｇ、１３Ｈ、１３Ｉ、１３Ｋ、１３Ｌ、１３Ｍの吐出経路を開放する。これにより、ノズル１３Ａ、１３Ｃ、１３Ｄ、１３Ｅ、１３Ｇ、１３Ｈ、１３Ｉ、１３Ｋ、１３Ｌ、１３Ｍから吐出された塗布液のドットが被塗布物１１に着弾する。
【００８８】
次の段階では、図７−２（Ｅ）に示すように、シャッター板５０をシャッター開閉機構３２により移動させ、ノズル１３の全部の吐出経路を開放する。これにより、ノズル１３の全部から吐出された塗布液のドットが被塗布物１１に着弾する。
【００８９】
このように、ノズル１３の吐出経路を段階的に開放して塗布液の被塗布物１１への塗布が開始することにより、被塗布物１１に着弾したドットの塗布開始側においては、図６（Ａ）に示すように、段状にされたドットが配置される。なお、図６（Ａ）に示すドットは、左側から右側にかけて１３列をなしており、右側の列から順に、ノズル１３Ａ、１３Ｂ、１３Ｃ、１３Ｄ、１３Ｅ、１３Ｆ、１３Ｇ、１３Ｈ、１３Ｉ、１３Ｊ、１３Ｋ、１３Ｌ、１３Ｍから吐出された塗布液のドットによりそれぞれ形成された列である。
【００９０】
吐出経路が開放される段階が遅いノズル（例えば、ノズル１３Ｂ）で形成されるドット列（例えば、図６（Ａ）において右から２列目）に比べ、吐出経路が開放される段階が早いノズル（例えば、ノズル１３Ａ）で形成されたドット列（例えば、図６（Ａ）において右から１列目）が長くされ、所定の形状をしたドットの配置がなされる。
【００９１】
次に、ノズル１３の全部から吐出された塗布液のドットが被塗布物１１に着弾する状態で、被塗布物１１を回転させる。
【００９２】
被塗布物１１の回転が一周する際において、塗布液の被塗布物１１への塗布を終了する際には、図７−２（Ｆ）、図７−３（Ｇ）、図７−３（Ｈ）及び図７−３（Ｉ）に示すように、シャッター板５２をシャッター開閉機構３２により段階的に移動させ、ノズル１３の吐出経路を段階的に閉鎖する。
【００９３】
第１段階では、図７−２（Ｆ）に示すように、シャッター板５２をシャッター開閉機構３２により移動させ、ノズル１３Ａ、１３Ｅ、１３Ｉ、１３Ｍの吐出経路を閉鎖する。これにより、ノズル１３Ｂ、１３Ｃ、１３Ｄ、１３Ｆ、１３Ｇ、１３Ｈ、１３Ｊ、１３Ｋ、１３Ｌから吐出された塗布液のドットが被塗布物１１に着弾する。
【００９４】
次の段階では、図７−３（Ｇ）に示すように、シャッター板５２をシャッター開閉機構３２により移動させ、ノズル１３Ａ、１３Ｃ、１３Ｅ、１３Ｇ、１３Ｉ、１３Ｋ、１３Ｍの吐出経路を閉鎖する。これにより、ノズル１３Ｂ、１３Ｄ、１３Ｆ、１３Ｈ、１３Ｊ、１３Ｌから吐出された塗布液のドットが被塗布物１１に着弾する。
【００９５】
次の段階では、図７−３（Ｈ）に示すように、シャッター板５２をシャッター開閉機構３２により移動させ、ノズル１３Ａ、１３Ｃ、１３Ｄ、１３Ｅ、１３Ｇ、１３Ｈ、１３Ｉ、１３Ｋ、１３Ｌ、１３Ｍの吐出経路を閉鎖する。これにより、ノズル１３Ｂ、１３Ｆ、１３Ｊから吐出された塗布液のドットが被塗布物１１に着弾する。
【００９６】
次の段階では、図７−３（Ｉ）に示すように、シャッター板５２をシャッター開閉機構３２により移動させ、ノズル１３の全部の吐出経路を閉鎖する。これにより、ノズル１３から吐出する塗布液は遮断され、塗布液は、被塗布物１１に着弾していない状態となる。
【００９７】
このように、塗布液の被塗布物１１への塗布を終了する際には、ノズル１３の吐出経路を段階的に閉鎖することにより、被塗布物１１に着弾したドットの塗布終了側においては、図６（Ｂ）に示すように、段状にされたドットが配置される。なお、図６（Ｂ）に示すドットは、左側から右側にかけて１３列をなしており、右側の列から順に、ノズル１３Ａ、１３Ｂ、１３Ｃ、１３Ｄ、１３Ｅ、１３Ｆ、１３Ｇ、１３Ｈ、１３Ｉ、１３Ｊ、１３Ｋ、１３Ｌ、１３Ｍから吐出された塗布液のドットによりそれぞれ形成された列である。
【００９８】
吐出経路が閉鎖される段階が遅いノズル（例えば、ノズル１３Ｂ）で形成されるドット列（例えば、図６（Ｂ）において右から２列目）に比べ、吐出経路が閉鎖される段階が早いノズル（例えば、ノズル１３Ａ）で形成されたドット列（例えば、図６（Ｂ）において右から１列目）が短くされ、図６（Ａ）に示す所定の形状をしたドット配置と、噛み合う形状をしたドット配置がなされる。
【００９９】
そして、段状に配置された塗布開始側のドット（図６（Ａ）参照）と、段状に配置された塗布終了側のドット（図６（Ｂ）参照）が噛み合わされて、被塗布物１１の周面に塗布膜を形成される。
【０１００】
なお、噛み合う形状とは、塗布開始側で段状に形成されたドット配置の凹凸と、塗布終了側で段状に形成されたドット配置の凹凸が噛み合うことであり、塗布開始側で段状に形成されたドット配置において凹状になった列（例えば、右から２列目）に対して、それに対応する列（例えば、右から２列目）は、塗布終了側で段状に形成されたドット配置において、凸状にされている場合をいう。
【０１０１】
また、図７−１、図７−２及び図７−３は、ノズル１３の吐出経路の開放動作及び閉鎖動作を説明するための模式図であり、ノズル１３の個数や、シャッター板５０及びシャッター板５２の構成は、これに限られない。特に、シャッター板５０及びシャッター板５２の形状は、その歯型が互いに対向して噛み合う形状であれば、任意の形状とすることができ、第２変形例に示した形状によりも複雑な形状とすることも可能である。
【０１０２】
さらに、第２変形例においては、シャッター板５０及びシャッター板５２に、図９（Ａ）（Ｂ）に示すように、遮断した塗布液を回収するための塗布液回収溝５６が形成されている。塗布液回収溝５６は、シャッター板５０及びシャッター板５２がノズル１３の全部の吐出経路を閉鎖した際に、吐出される塗布液が着弾する位置に形成されている。
【０１０３】
具体的には、図７−１（Ａ）に示す状態にあるときのシャッター板５０において、吐出される塗布液が着弾する位置に、塗布液回収溝５６は形成されている。図７−３（Ｅ）に示す状態にあるときのシャッター板５２において、吐出される塗布液が着弾する位置に、塗布液回収溝５６は形成されている。
【０１０４】
塗布液回収溝５６は、奥側が開口部よりも広がった形状をしており、塗布液回収溝５６に収容された塗布液が開口部から液だれしにくい形状とされている。
【０１０５】
塗布液回収溝５６に吐出された塗布液は、シャッター板５０及びシャッター板５２の端部へ運ばれ、塗布液タンク１６へ回収されるようになっている。
【０１０６】
なお、シャッター板５０でノズル１３の吐出経路を段階的に開放する際には、塗布液回収溝５６のないシャッター板５０の凸部５０Ａにも、塗布液は着弾するが付着量は少ないため、払拭等により付着した塗布液を拭き取る構成とすることで足りる。
【０１０７】
シャッター板５２においても同様に、ノズル１３の吐出経路を段階的に閉鎖する際に、塗布液回収溝５６のないシャッター板５２の凸部５２Ａにも、塗布液は着弾するが付着量は少ないため、払拭等により付着した塗布液を拭き取る構成とすることで足りる。また、図９では、歯型を簡略化して図示している。また、シャッター板３０、シャッター板４０、シャッター板４２及び後述のシャッター板６０においても、シャッター板５０及びシャッター板５２と同様に、塗布液回収溝５６を形成することができる。
【０１０８】
（シャッター板及びシャッター開閉機構の構成の第３変形例）
次に、シャッター板及びシャッター開閉機構の構成の第３変形例を説明する。
【０１０９】
上記の実施形態は、支持体２４に支持された被塗布物１１の回転軸方向へシャッター板３０をスライド移動させる構成であったが、第３変形例では、第１変形例及び第２変形例と同様に、シャッター板をスライド移動させない構成である。第３変形例では、図８−１、図８−２及び図８−３に示すように、内部に開口を有する枠体で形成された１枚のシャッター板６０を用いる。
【０１１０】
このシャッター板６０では、枠体の開口側の縁が櫛歯形状に形成されており、開口の縁に対向する歯型が形成されている。
【０１１１】
第３変形例に係る構成では、図８−１（Ａ）に示すように、シャッター板６０の開口の縁に形成された歯型は、その歯型が対向して噛み合う形状に形成されている。すなわち、一方の縁に形成された凸部６０Ａに対向して、他方の縁に凹部６２Ｂが形成されると共に、一方の縁に形成された凹部６０Ｂに対向して他方の縁に凸部６２Ａが形成されており、一方の縁に形成された凸部６０Ａ及び他方の縁に形成された凸部６２Ａが、他方の縁に形成された凹部６２Ｂ及び一方の縁に形成された凹部６０Ｂにそれぞれ入り込むことが可能とされている。
【０１１２】
本実施形態では、凸部６０Ａと凹部６２Ｂとは、同一形状とされており、凹部６０Ｂと凸部６２Ａとも、同一形状とされており、開口の縁にそれぞれ形成された歯型は、互いに隙間なく噛み合うようになっている。
【０１１３】
すなわち、ノズル１３の吐出経路を閉鎖する機能を有する凸部６０Ａと、ノズルの吐出経路を開放する機能を有する凹部６２Ｂとが、同じ面積で形成されている。また、ノズルの吐出経路を開放する機能を有する凹部６０Ｂと、ノズル１３の吐出経路を閉鎖する機能を有する凸部６２Ａとが、同じ面積で形成されている。
【０１１４】
なお、図７−１（Ａ）では、凸部６０Ａ、凹部６０Ｂ、凸部６２Ａ及び凹部６２Ｂの範囲をわかりやすくするため２点鎖線を付している。２点鎖線で区切られた範囲が、凸部６０Ａ、凹部６０Ｂ、凸部６２Ａ及び凹部６２Ｂ、それぞれの範囲である。
【０１１５】
シャッター板６０は、上記の第１変形例及び第２変形例と同様に、シャッター開閉機構３２により移動して開閉される。なお、図８−１、図８−２及び図８−３においては、シャッター開閉機構３２の図示を省略している。
【０１１６】
第３変形例の構成では、まず、図８−１（Ａ）に示すように、シャッター板６０により、ノズル１３の全部の吐出経路を閉鎖する。これにより、ノズル１３から吐出する塗布液は遮断され、塗布液は、被塗布物１１に着弾していない状態となる。
【０１１７】
次に、図８−１（Ｂ）、図８−１（Ｃ）、図８−２（Ｄ）及び図８−２（Ｅ）に示すように、被塗布物１１を回転させると共にシャッター板６０をシャッター開閉機構３２により段階的に移動させ、ノズル１３の吐出経路を段階的に開放して、塗布液の被塗布物１１への塗布が開始される。
【０１１８】
第１段階では、図８−１（Ｂ）に示すように、シャッター板６０をシャッター開閉機構３２により移動させ、ノズル１３Ａ、１３Ｅ、１３Ｉ、１３Ｍの吐出経路を開放する。これにより、ノズル１３Ａ、１３Ｅ、１３Ｉ、１３Ｍから吐出された塗布液のドットが被塗布物１１に着弾する。
【０１１９】
次の段階では、図８−１（Ｃ）に示すように、シャッター板６０をシャッター開閉機構３２により移動させ、ノズル１３Ａ、１３Ｃ、１３Ｅ、１３Ｇ、１３Ｉ、１３Ｋ、１３Ｍの吐出経路を開放する。これにより、ノズル１３Ａ、１３Ｃ、１３Ｅ、１３Ｇ、１３Ｉ、１３Ｋ、１３Ｍから吐出された塗布液のドットが被塗布物１１に着弾する。
【０１２０】
次の段階では、図８−２（Ｄ）に示すように、シャッター板６０をシャッター開閉機構３２により移動させ、ノズル１３Ａ、１３Ｃ、１３Ｄ、１３Ｅ、１３Ｇ、１３Ｈ、１３Ｉ、１３Ｋ、１３Ｌ、１３Ｍの吐出経路を開放する。これにより、ノズル１３Ａ、１３Ｃ、１３Ｄ、１３Ｅ、１３Ｇ、１３Ｈ、１３Ｉ、１３Ｋ、１３Ｌ、１３Ｍから吐出された塗布液のドットが被塗布物１１に着弾する。
【０１２１】
次の段階では、図８−２（Ｅ）に示すように、シャッター板６０をシャッター開閉機構３２により移動させ、ノズル１３の全部の吐出経路を開放する。これにより、ノズル１３の全部から吐出された塗布液のドットが被塗布物１１に着弾する。
【０１２２】
このように、ノズル１３の吐出経路を段階的に開放して塗布液の被塗布物１１への塗布が開始することにより、被塗布物１１に着弾したドットの塗布開始側においては、図６（Ａ）に示すように、段状にされたドットが配置される。なお、図６（Ａ）に示すドットは、左側から右側にかけて１３列をなしており、右側の列から順に、ノズル１３Ａ、１３Ｂ、１３Ｃ、１３Ｄ、１３Ｅ、１３Ｆ、１３Ｇ、１３Ｈ、１３Ｉ、１３Ｊ、１３Ｋ、１３Ｌ、１３Ｍから吐出された塗布液のドットによりそれぞれ形成された列である。
【０１２３】
吐出経路が開放される段階が遅いノズル（例えば、ノズル１３Ｂ）で形成されるドット列（例えば、図６（Ａ）において右から２列目）に比べ、吐出経路が開放される段階が早いノズル（例えば、ノズル１３Ａ）で形成されたドット列（例えば、図６（Ａ）において右から１列目）が長くされ、所定の形状をしたドットの配置がなされる。
【０１２４】
次に、ノズル１３の全部から吐出された塗布液のドットが被塗布物１１に着弾する状態で、被塗布物１１を回転させる。
【０１２５】
被塗布物１１の回転が一周する際において、塗布液の被塗布物１１への塗布を終了する際には、図８−２（Ｆ）、図８−３（Ｇ）、図８−３（Ｈ）及び図８−３（Ｉ）に示すように、シャッター板６０をシャッター開閉機構３２により段階的に移動させ、ノズル１３の吐出経路を段階的に閉鎖する。
【０１２６】
第１段階では、図８−２（Ｆ）に示すように、シャッター板６０をシャッター開閉機構３２により移動させ、ノズル１３Ａ、１３Ｅ、１３Ｉ、１３Ｍの吐出経路を閉鎖する。これにより、ノズル１３Ｂ、１３Ｃ、１３Ｄ、１３Ｆ、１３Ｇ、１３Ｈ、１３Ｊ、１３Ｋ、１３Ｌから吐出された塗布液のドットが被塗布物１１に着弾する。
【０１２７】
次の段階では、図８−３（Ｇ）に示すように、シャッター板６０をシャッター開閉機構３２により移動させ、ノズル１３Ａ、１３Ｃ、１３Ｅ、１３Ｇ、１３Ｉ、１３Ｋ、１３Ｍの吐出経路を閉鎖する。これにより、ノズル１３Ｂ、１３Ｄ、１３Ｆ、１３Ｈ、１３Ｊ、１３Ｌから吐出された塗布液のドットが被塗布物１１に着弾する。
【０１２８】
次の段階では、図８−３（Ｈ）に示すように、シャッター板６０をシャッター開閉機構３２により移動させ、ノズル１３Ａ、１３Ｃ、１３Ｄ、１３Ｅ、１３Ｇ、１３Ｈ、１３Ｉ、１３Ｋ、１３Ｌ、１３Ｍの吐出経路を閉鎖する。これにより、ノズル１３Ｂ、１３Ｆ、１３Ｊから吐出された塗布液のドットが被塗布物１１に着弾する。
【０１２９】
次の段階では、図８−３（Ｉ）に示すように、シャッター板６０をシャッター開閉機構３２により移動させ、ノズル１３の全部の吐出経路を閉鎖する。これにより、ノズル１３から吐出する塗布液は遮断され、塗布液は、被塗布物１１に着弾していない状態となる。
【０１３０】
このように、塗布液の被塗布物１１への塗布を終了する際には、ノズル１３の吐出経路を段階的に閉鎖することにより、被塗布物１１に着弾したドットの塗布終了側においては、図６（Ｂ）に示すように、段状にされたドットが配置される。なお、図６（Ｂ）に示すドットは、左側から右側にかけて１３列をなしており、右側の列から順に、ノズル１３Ａ、１３Ｂ、１３Ｃ、１３Ｄ、１３Ｅ、１３Ｆ、１３Ｇ、１３Ｈ、１３Ｉ、１３Ｊ、１３Ｋ、１３Ｌ、１３Ｍから吐出された塗布液のドットによりそれぞれ形成された列である。
【０１３１】
吐出経路が閉鎖される段階が遅いノズル（例えば、ノズル１３Ｂ）で形成されるドット列（例えば、図６（Ｂ）において右から２列目）に比べ、吐出経路が閉鎖される段階が早いノズル（例えば、ノズル１３Ａ）で形成されたドット列（例えば、図６（Ｂ）において右から１列目）が短くされ、図６（Ａ）に示す所定の形状をしたドット配置と、噛み合う形状をしたドット配置がなされる。
【０１３２】
そして、段状に配置された塗布開始側のドット（図６（Ａ）参照）と、段状に配置された塗布終了側のドット（図６（Ｂ）参照）が噛み合わされて、被塗布物１１の周面に塗布膜を形成される。
【０１３３】
なお、噛み合う形状とは、塗布開始側で段状に形成されたドット配置の凹凸と、塗布終了側で段状に形成されたドット配置の凹凸が噛み合うことであり、塗布開始側で段状に形成されたドット配置において凹状になった列（例えば、右から２列目）に対して、それに対応する列（例えば、右から２列目）は、塗布終了側で段状に形成されたドット配置において、凸状にされている場合をいう。
【０１３４】
また、図８−１、図８−２及び図８−３は、ノズル１３の吐出経路の開放動作及び閉鎖動作を説明するための模式図であり、ノズル１３の個数や、シャッター板６０の構成は、これに限られない。特に、シャッター板６０は、その歯型が互いに対向して噛み合う形状であれば、任意の形状とすることができ、第３変形例に示した形状によりも複雑な形状とすることも可能である。
【０１３５】
本発明は、上記の実施形態に限るものではなく、種々の変形、変更、改良が可能である。
【図面の簡単な説明】
【０１３６】
【図１】図１は、本実施形態に係る液体塗布装置の全体構成を示す概略図である。
【図２】図２は、支持体に支持された被塗布物と吐出ヘッドとの間に配置されるシャッター板の構成を示す斜視図である。
【図３】図３は、本実施形態に係るシャッター板の動作を示す概略図である。
【図４】図４は、本実施形態において、被塗布物に着弾したドットの配置を示す図である。
【図５−１】図５−１は、第１変形例に係るシャッター板の構成及びその動作を示す概略図である。
【図５−２】図５−２は、第１変形例に係るシャッター板の構成及びその動作を示す概略図である。
【図５−３】図５−３は、第１変形例に係るシャッター板の構成及びその動作を示す概略図である。
【図６】図６は、第１変形例において、被塗布物に着弾したドットの配置を示す図である。
【図７−１】図７−１は、第２変形例に係るシャッター板の構成及びその動作を示す概略図である。
【図７−２】図７−２は、第２変形例に係るシャッター板の構成及びその動作を示す概略図である。
【図７−３】図７−３は、第２変形例に係るシャッター板の構成及びその動作を示す概略図である。
【図８−１】図８−１は、第３変形例に係るシャッター板の構成及びその動作を示す概略図である。
【図８−２】図８−２は、第３変形例に係るシャッター板の構成及びその動作を示す概略図である。
【図８−３】図８−３は、第３変形例に係るシャッター板の構成及びその動作を示す概略図である。
【図９】図９は、第２変形例に係るシャッター板に形成した塗布液回収溝の構成を示す概略図である。
【符号の説明】
【０１３７】
１０   液体塗布装置
１２   吐出ヘッド
２４   支持体（被塗布物支持部）
３０   シャッター板
３２   シャッター開閉機構
４０   シャッター板
４２   シャッター板
５０   シャッター板
５２   シャッター板
５６   塗布液回収溝
６０   シャッター板
１０２ 被塗布物駆動装置（回転機構）
【図１】
0005092729.tif 000002
【図２】
0005092729.tif 000003
【図３】
0005092729.tif 000004
【図４】
0005092729.tif 000005
【図５−１】
0005092729.tif 000006
【図５−２】
0005092729.tif 000007
【図５−３】
0005092729.tif 000008
【図６】
0005092729.tif 000009
【図７−１】
0005092729.tif 000010
【図７−２】
0005092729.tif 000011
【図７−３】
0005092729.tif 000012
【図８−１】
0005092729.tif 000013
【図８−２】
0005092729.tif 000014
【図８−３】
0005092729.tif 000015
【図９】
0005092729.tif 000016